(57)【要約】【課題】ＡＶ出力装置のスピーカを使って、再生装置でＭＰ３やＡＡＣなどの音声のみのコンテンツを再生したい時に、ＡＶ出力装置の映像出力を停止し、音声出力のみにすることができない。【解決手段】ＡＶ出力装置に再生装置から映像出力のＯＮ／ＯＦＦを制御できるインタフェースを設け、再生装置は出力情報を判別し、音声のみのコンテンツの場合はＡＶ出力装置に、映像出力ＯＦＦを送信することで、ＡＶ出力装置を節電しながら、スピーカとして利用することができる。【選択図】図１
2008054156.tif 000002
【特許請求の範囲】
【請求項１】
映像信号を出力する映像出力手段と、音声信号を出力する音声出力手段と、外部接続装置から出力されたコマンドを受信するコマンド受信部と、前記コマンド受信部が映像出力ＯＦＦのコマンドを受信した時に、前記映像出力手段の電源をＯＦＦし、前記コマンド受信部が映像出力ＯＮのコマンドを受信した時に、前記映像出力手段の電源をＯＮする電源制御手段とを備えたことを特徴とするＡＶ出力装置。
【請求項２】
映像信号を出力する映像出力手段と、音声信号を出力する音声出力手段と、外部接続装置から入力された、映像信号及び音声信号の信号状態を判別するＡＶ信号入力状態判別手段と、前記ＡＶ信号入力状態判別手段が、映像信号が無入力かつ音声信号が入力されている状態を判別した時に、前記映像出力手段の電源をＯＦＦし、ＡＶ信号入力状態判別手段が、映像信号及び音声信号の双方が入力されている状態を判別した時に、前記映像出力手段の電源をＯＮする電源制御手段とを備えたことを特徴とするＡＶ出力装置。
【請求項３】
再生するコンテンツのＡＶストリームの種別を判別する再生制御部と、前記再生制御部で判別した種別が、音声のみのコンテンツの場合に、映像出力ＯＦＦのコマンドを、また、映像があるコンテンツの場合に、映像出力ＯＮのコマンドをそれぞれ外部接続装置に送信するコマンド送信手段とを備えたことを特徴とする再生装置。
【請求項４】
ユーザの入力を受け、グラフィックを使用し、ＡＶデータ部の再生コンテンツを検索でき、指定したコンテンツの再生を前記再生制御部に指示するＧＵＩ部をさらに備え、前記再生制御部は前記ＧＵＩ部より入力された再生コンテンツの再生を行い、前記コマンド送信手段は、前記再生制御部で判別した種別が、音声のみのコンテンツの場合に、前記ＧＵＩ部がユーザ入力を検知する場合には、映像出力ＯＮのコマンドを外部接続装置に送信し、前記ＧＵＩ部が一定時間、ユーザ入力を検知しない場合には、映像出力ＯＦＦコマンドを外部接続装置に送信することを特徴とする、請求項３に記載の再生装置。
【請求項５】
再生するコンテンツのＡＶストリームの種別を判別する再生制御部と、前記再生制御部で判別した種別が、音声のみのコンテンツの場合に、映像を無信号にし、映像があるコンテンツの場合に、再生コンテンツの映像を出力するＡＶ信号出力部と、
ユーザの入力を受け、グラフィックを使用し、ＡＶデータ部の再生コンテンツを検索でき、指定したコンテンツの再生を前記再生制御部に指示するＧＵＩ部とを備え、前記再生制御部は前記ＧＵＩ部より入力された再生コンテンツの再生を行い、前記ＡＶ信号出力部は、前記再生制御部で判別した種別が、音声のみのコンテンツの場合に、前記ＧＵＩ部がユーザ入力を検知する場合には、映像を出力し、前記ＧＵＩ部が一定時間、ユーザ入力を検知しない場合には、映像を無信号にすることを特徴とする再生装置。
【発明の詳細な説明】
【技術分野】
【０００１】
本発明は、ＤＶＤプレーヤやＶＣＲなどの再生装置からＡＶ信号の入力を受け、スピーカや表示管に出力を行うＡＶ出力装置と、ＤＶＤプレーヤやＤＶＤレコーダなど音楽コンテンツを再生することができる再生装置に関するものである。
【背景技術】
【０００２】
近年、ＤＶＤレコーダやＤＶＤプレーヤなどの再生装置は多機能化されており、ＣＤの再生や、内蔵するＨＤＤに音楽コンテンツを蓄積し、再生することができる機能を有する機種が増えてきている。前記のようなＤＶＤレコーダやＤＶＤプレーヤは映像を再生する事を主目的としているため、ＴＶなどのＡＶ出力装置と接続し、使用することが一般的である。このような接続環境で、再生装置が音声コンテンツを再生すると、ＡＶ出力装置は音声出力が目的である事を判断できないため、映像と音声の両方を出力してしまい、映像出力を行う分、余分な電力を消費してしまう。
【０００３】
この種の課題を解決する従来技術として、ＡＶ出力装置に専用の操作を行うことで、映像出力の電源のみをＯＦＦする機能や、ＡＶ出力装置がＢＳチューナを備えており、ＢＳチューナを使用して音声のみの番組を視聴している時は、映像出力の電源をＯＦＦする機能を有することで解決している。
【特許文献１】特許第３３０６８８１号公報
【発明の開示】
【発明が解決しようとする課題】
【０００４】
しかしながら、前記従来技術では、再生装置の音声コンテンツの再生出力を、ＡＶ出力装置の外部入力端子へ入力した場合、ＡＶ出力装置は外部入力端子から入力された信号の内容が、音声のみの再生を目的とした内容か判断できないため、自動で映像出力をＯＦＦすることができない、また、映像出力をＯＦＦしたい場合、ＡＶ出力装置に対しリモコンなどを用いて専用の操作を行わなければならず、操作が煩雑である。
【０００５】
本発明は、上記の課題を解決するためになされたもので、再生装置で音声コンテンツを再生し、ＡＶ出力装置からその音声を出力する場合において、なるべく簡単な操作と、なるべく少ない電力で音声の再生出力を行うことを目的としている。
【課題を解決するための手段】
【０００６】
前記目的を達成するために請求項１の発明は、映像信号を出力する映像出力手段と、音声信号を出力する音声出力手段と、外部接続装置から出力されたコマンドを受信するコマンド受信部と、前記コマンド受信部が映像出力ＯＦＦのコマンドを受信した時に、前記映像出力手段の電源をＯＦＦし、前記コマンド受信部が映像出力ＯＮのコマンドを受信した時に、前記映像出力手段の電源をＯＮする電源制御手段とを備えたことを特徴とするＡＶ出力装置に係わる。
【０００７】
また、前記目的を達成するために請求項２の発明は、映像信号を出力する映像出力手段と、音声信号を出力する音声出力手段と、外部接続装置から入力された、映像信号及び音声信号の信号状態を判別するＡＶ信号入力状態判別手段と、前記ＡＶ信号入力状態判別手段が、映像信号が無入力かつ音声信号が入力されている状態を判別した時に、前記映像出力手段の電源をＯＦＦし、ＡＶ信号入力状態判別手段が、映像信号及び音声信号の双方が入力されている状態を判別した時に、前記映像出力手段の電源をＯＮする電源制御手段とを備えたことを特徴とするＡＶ出力装置に係わる。
【０００８】
また、前記目的を達成するために請求項３の発明は、再生するコンテンツのＡＶストリームの種別を判別する再生制御部と、前記再生制御部で判別した種別が、音声のみのコンテンツの場合に、映像出力ＯＦＦのコマンドを、また、映像があるコンテンツの場合に、映像出力ＯＮのコマンドをそれぞれ外部接続装置に送信するコマンド送信手段とを備えたことを特徴とする再生装置に係わる。
【０００９】
また、前記目的を達成するために請求項４の発明は、ユーザの入力を受け、グラフィックを使用し、ＡＶデータ部の再生コンテンツを検索でき、指定したコンテンツの再生を前記再生制御部に指示するＧＵＩ部をさらに備え、前記再生制御部は前記ＧＵＩ部より入力された再生コンテンツの再生を行い、前記コマンド送信手段は、前記再生制御部で判別した種別が、音声のみのコンテンツの場合に、前記ＧＵＩ部がユーザ入力を検知する場合には、映像出力ＯＮのコマンドを外部接続装置に送信し、前記ＧＵＩ部が一定時間、ユーザ入力を検知しない場合には、映像出力ＯＦＦコマンドを外部接続装置に送信することを特徴とする、請求項３に記載の再生装置に係わる。
【００１０】
また、前記目的を達成するために請求項５の発明は、再生するコンテンツのＡＶストリームの種別を判別する再生制御部と、前記再生制御部で判別した種別が、音声のみのコンテンツの場合に、映像を無信号にし、映像があるコンテンツの場合に、再生コンテンツの映像を出力するＡＶ信号出力部と、ユーザの入力を受け、グラフィックを使用し、ＡＶデータ部の再生コンテンツを検索でき、指定したコンテンツの再生を前記再生制御部に指示するＧＵＩ部とを備え、前記再生制御部は前記ＧＵＩ部より入力された再生コンテンツの再生を行い、前記ＡＶ信号出力部は、前記再生制御部で判別した種別が、音声のみのコンテンツの場合に、前記ＧＵＩ部がユーザ入力を検知する場合には、映像を出力し、前記ＧＵＩ部が一定時間、ユーザ入力を検知しない場合には、映像を無信号にすることを特徴とする再生装置に係わる。
【発明の効果】
【００１１】
本発明により、再生装置を操作し、音声コンテンツを再生するだけで、ＡＶ出力装置は映像出力をＯＦＦし、音声のみを出力する状態になり、電力を節電することができ、簡単な操作で、再生装置の画面を表示したい時のみ一時的にＡＶ出力装置は映像出力をＯＮすることができる。
【発明を実施するための最良の形態】
【００１２】
（実施の形態）
以下に図を用いて本発明の実施の形態を説明する。図１は本発明でのＡＶ再生システムの構成を示すブロック図である。図１において、２１は外部からＡＶ信号の入力を受け、そのＡＶ信号をＡＶ信号分離部２２に出力するＡＶ信号入力部２１であり、２２はＡＶ信号入力部２１から入力された、ＡＶ信号を音声信号と映像信号に分離し、分離した音声信号と映像信号を音声出力手段２５と映像出力手段２４とに出力するＡＶ信号分離部２２であり、２４は電源制御手段２３より電源のＯＮ，ＯＦＦが制御され、ＡＶ信号分離部２２から入力された、映像信号を出力する映像出力手段２４であり２５は電源制御手段２３より電源のＯＮ，ＯＦＦが制御され、ＡＶ信号分離部２２から入力された、音声信号を出力する音声出力手段２５であり、２６は再生装置１０から出力されたコマンド受信し、受信したコマンドを電源制御手段２３に出力するコマンド受信部２６であり、２３はコマンド受信部２６より、映像出力ＯＦＦのコマンドを受信した時に、映像出力手段２４の電源をＯＦＦし、コマンド受信部２６より映像出力ＯＮのコマンドを受信した時に映像出力手段２４の電源をＯＮする電源制御手段２３であり、２０はＡＶ信号入力部２１とＡＶ信号分離部２２と映像出力手段２４と音声出力手段２５とコマンド受信部２６と電源制御手段２３から構成されるＡＶ出力装置２０であり、１４はＡＶコンテンツが蓄積された、ＡＶデータ部１４であり、１５はＧＵＩ部１６より、入力された再生コンテンツのＡＶストリームをＡＶデータ部１４から取得し、取得したＡＶストリーム種別を判別し、デッキ状態判別手段１７に再生状態を出力し、前記ＡＶストリームを再生手段１１に出力する再生制御部１５であり、１６はユーザの入力を受け、グラフィックを使用し、ＡＶデータ部１４の再生コンテンツを検索でき、指定したコンテンツの再生を再生制御部１５に指示し、グラフィクスの表示状態と、ユーザ入力タイミングをデッキ状態判別手段１７に出力するＧＵＩ部１６であり、１１は再生制御部１５から入力されたＡＶストリームをデコードし、デコードされたＡＶ信号をＡＶ信号出力部１２に出力する再生手段１１であり、１８はデッキ状態判別手段１７から入力された、コマンドを外部のＡＶ出力装置２０に対して出力するコマンド送信手段１８であり、１２は再生手段１１から入力された、ＡＶデータを外部に出力するＡＶ信号出力部１２であり、１７は、再生制御部１５から入力された再生状態が、音声のみのコンテンツの再生中の場合に、ＡＶ出力装置２０の映像出力ＯＦＦのコマンドを、それ以外の場合は映像出力ＯＮのコマンドをコマンド送信手段１８に出力する、また、再生制御部１５から入力された再生状態が、音声のみのコンテンツの再生中の場合であったとしても、ＧＵＩ部１６から入力されたＧＵＩ表示状態が、ＧＵＩ出力中である場合に、ユーザ入力を検知すると、映像出力ＯＮのコマンドをコマンド送信手段１８に出力し、一定時間、ユーザ入力が発生しなければ映像出力ＯＦＦコマンドをコマンド送信手段１８に出力するデッキ状態判別手段１７であり、１０は、ＡＶデータ部１４と再生制御部１５とＧＵＩ部１６と再生手段１１とコマンド送信手段１８とＡＶ信号出力部１２とデッキ状態判別手段１７から構成される再生装置１０であり、ＡＶ信号出力部１２とＡＶ信号入力部２１は接続されており、コマンド送信手段１８とコマンド受信部１８は接続されており、例えば、再生装置１０はＨＤＤレコーダであり、ＡＶ出力装置２０はデジタルＴＶであり、再生装置１０とＡＶ出力装置２０はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）によって接続されており、コマンド送信手段１８とコマンド受信部２６はＣＥＣ（Ｃｏｎｓｕｍｅｒ  Ｅｌｅｃｔｒｏｎｉｃｓ  Ｃｏｎｔｒｏｌ）を用いて通信を行う。
【００１３】
上記の様に構成されたＡＶ再生システムは、再生装置１０を操作し、音声コンテンツを再生するだけで、ＡＶ出力装置２０は映像出力をＯＦＦし、音声のみを出力する状態になり、電力を節電することができ、また、再生装置１０のＧＵＩを使用して、音声コンテンツを検索したい場合に、再生装置１０を操作するだけで、自動的にＡＶ出力装置２０の映像出力が一時的にＯＮし、一定時間、再生装置１０の操作がなければ、再び映像出力をＯＦＦ事ができる。
【００１４】
次に図２を用いて、ＧＵＩ部１６が表示する音声コンテンツのＧＵＩ画面例を説明する。
Ｇ１はＧＵＩ画面の外観であり、Ｇ２はフォーカスされている音声コンテンツであり、Ｇ３は現在再生している音声コンテンツを示すアイコンである。Ｇ２はフォーカス移動操作を行うことで、上下に移動し、決定操作を行うことで、その時にフォーカスされている音声コンテンツを再生することができ、音声コンテンツのリストと再生中の音声コンテンツを表現することができる。再生装置１０は音楽コンテンツを再生中でＡＶ出力装置２０の映像出力がＯＦＦであったとしても、再生装置１０に対して画面表示の操作をだけで、自動的に映像出力をＯＮする事ができるため、前記Ｇ１のＧＵＩ画面の機能を有効に使うことができる。
【００１５】
次に図１、図３、図４を用いてデッキ状態判別手段１７の制御フローを説明する。Ｓ１００は再生装置１０が起動した時に呼び出され、再生装置１０の電源がＯＦＦするまで処理を続けるデッキ状態を監視する処理であり、再生状態、ＧＵＩ表示状態、無入力期間カウンタ、状態変化フラグを内部の情報として保持している。再生状態は再生制御部１５からの設定される再生状態であり、ＧＵＩ表示状態はＧＵＩ部１６から設定されるＧＵＩ表示状態である。Ｓ１０１は、再生状態を停止に、ＧＵＩ表示状態を非表示に、無入力期間カウンタを０に初期化する。Ｓ１０２は、状態変化フラグを０に初期化する。Ｓ１０３は、ＧＵＩ部１６からユーザ入力のタイミング通知があればＳ１０４を、そうでなければ、Ｓ１０５を実行する分岐処理である。Ｓ１０４は、状態変化フラグを１に設定し、無入力期間カウンタの表示時間を設定する。無入力期間カウンタは後述するＳ２００の送信コマンド作成処理で参照され、Ｓ３００の自動映像出力ＯＦＦ処理で減算される。Ｓ１０５は、ＧＵＩ部１６から通知されるＧＵＩ表示状態が変化した場合に、Ｓ１０６を、そうでなければ、Ｓ１０７を実行する分岐処理である。Ｓ１０６は、状態変化フラグを１に設定する。  Ｓ１０７は、再生制御部１５から通知される再生状態が変化した場合に、Ｓ１０８を、そうでなければ、Ｓ１０９を実行する分岐処理である。Ｓ１０８は、状態変化フラグを１に設定する。Ｓ１０９は、状態変化フラグが１であれば、Ｓ１１０を０であれば、Ｓ１１１を実行する分岐処理である。Ｓ１１０は、再生状態とＧＵＩ表示状態から、映像出力ＯＦＦコマンドまたは映像出力ＯＮコマンドをコマンド送信手段１８に出力をする。詳細はＳ２００に後述する。Ｓ１１１は、音声コンテンツ再生中に映像出力がＯＮの場合に一定時間入力操作がなければ、自動的に映像出力ＯＦＦコマンドをコマンド送信手段１８に出力する処理であり、詳細はＳ３００に後述する。Ｓ２００は、再生状態とＧＵＩ表示状態から、映像出力ＯＦＦコマンドまたは映像出力ＯＮコマンドをコマンド送信手段１８に出力をする処理である。Ｓ２０１は、再生状態が音声のみコンテンツの再生中の場合Ｓ２０２を、そうでない場合はＳ２０４を実行する分岐処理である。Ｓ２０２は、ＧＵＩ表示状態がＧＵＩ表示中の場合はＳ２０５を、ＧＵＩ表示中の場合はＳ２０３を実行する分岐処理である。Ｓ２０３は無入力期間カウンタが０の場合に（すなわち、一定期間ユーザからの入力操作がない場合）にＳ２０５を、そうでない場合にＳ２０４を実行する分岐処理である。Ｓ２０４はコマンド送信手段１８に映像出力ＯＮコマンドを出力する。Ｓ２０５はコマンド送信手段１８に映像出力ＯＦＦコマンドを出力する。Ｓ２０６はＳ２００の呼び出しを終了する。Ｓ３００は音声コンテンツ再生中に映像出力がＯＮの場合に一定時間入力操作がなければ、自動的に映像出力ＯＦＦコマンドを行う処理である。Ｓ３０１は無入力期間カウンタが０の場合に（すなわち、一定期間ユーザからの入力操作がない場合）にＳ３０３を、そうでない場合に、Ｓ３０２を実行する分岐処理である。Ｓ３０２は、無入力期間カウンタの値を１減算する。Ｓ３０３は、再生状態が音声のみコンテンツの再生中の場合Ｓ���０４を、そうでない場合はＳ３０５を実行する分岐処理である。Ｓ３０４は、はコマンド送信手段１８に映像出力ＯＦＦコマンドを出力する。Ｓ３０５はＳ３００の呼び出しを終了する。
【００１６】
次に図１、図２、図３、図４、図５を用いて、再生装置で音声コンテンツを再生するユースケースのシーケンスを説明する。ＳＥ１０は図１におけるＧＵＩ部１６に相当し、ＳＥ２０は図１における再生制御部１５に相当し、ＳＥ３０は図１におけるデッキ状態判別手段１７に相当し、ＳＥ４０は図１における電源制御手段２３に相当し、ＳＥ５０は映像出力電源は図１における映像出力手段２４の電源状態を表し、ＳＥ６０は音声出力電源は図１における映像出力手段２４の電源状態を表し、再生装置１０は、電源ＯＮ状態で再生停止状態であり、ＡＶ出力装置２０は電源ＯＮ状態であり、映像出力電源ＳＥ５０と音声出力電源ＳＥ６０は共にＯＮの状態であるときに、ユーザがＧＵＩを使用し音声コンテンツを再生し、音声コンテンツ再生中に、ＧＵＩ画面を表示し再生中のコンテンツを確認する操作ユースのシーケンスである。ＳＥ０１でＧＵＩ部ＳＥ１０はＧＵＩ画面表示操作を受け、図２のＧＵＩ画面を表示し、デッキ状態判別手段ＳＥ３０にユーザ入力およびＧＵＩ画面表示中ＳＥ１１を通知する。これを受けデッキ状態判別手段ＳＥ３０は、Ｓ１０４、Ｓ１０６、Ｓ２０４の処理を行うが、すでに、映像出力電源ＳＥ５０はＯＮなので、特に電源状態は変化しない。次にＳＥ０２でＧＵＩ部ＳＥ１０は、再生コンテンツの決定操作を受け、デッキ状態判別手段ＳＥ３０にユーザ入力ＳＥ１２を通知し、再生制御部ＳＥ２０に選択されたコンテンツの再生指示ＳＥ１３を通知する。これを受け再生制御部ＳＥ２０は、選択された音声のみコンテンツの再生を開始し、ＳＥ３０に音声のみコンテンツ再生中ＳＥ２１を通知する。また、デッキ状態判別手段ＳＥ３０は、ＧＵＩ部ＳＥ１０からのユーザ入力ＳＥ１２と、再生制御部ＳＥ３０からの音声コンテンツのみの再生中ＳＥ２１を受けて、Ｓ１０４、Ｓ１０８、Ｓ２０４の処理を行う。その後、Ｔ１の期間、Ｓ３０２の処置で無入力期間カウンタが減算される続け、無入力期間カウンタが０になった時に、デッキ状態判別手段ＳＥ３０は映像出力ＯＦＦ  ＳＥ３１を電源制御手段ＳＥ４０に通知するＳ３０４の処理により、ＳＥ５０の映像出力電源がＯＦＦになる。この状態で、ＡＶ出力装置２０は、音声のみを出力している状態になり、音声のみコンテンツの再生中の節電を行うことができる。その後、再生中のコンテンツを確かめるために、ＳＥ０３でＧＵＩ画面表示操作を行うと、ＧＵＩ部ＳＥ１０はデッキ状態判別手段ＳＥ３０に、ユーザ入力ＳＥ１４を通知する。これを受け、デッキ状態判別手段ＳＥ３０は、デッキ状態判別手段ＳＥ３０は映像出力ＯＮ  ＳＥ３２を電源制御手段ＳＥ４０に通知するＳ２０４及びＳ１０４の処理を行い、映像出力電源がＯＮになる。その後、Ｔ２の期間、Ｓ３０２の処置で無入力期間カウンタが減算される続け、無入力期間カウンタが０になった時に、デッキ状態判別手段ＳＥ３０は映像出力ＯＦＦ  ＳＥ３３を電源制御手段ＳＥ４０に通知するＳ３０４の処理により、映像出力電源ＳＥ５０はＯＦＦになる。
【００１７】
なお、本実施例では、再生装置からＡＶ出力装置の映像出力のＯＮ／ＯＦＦを制御するために、ＣＥＣ（Ｃｏｎｓｕｍｅｒ  Ｅｌｅｃｔｒｏｎｉｃｓ  Ｃｏｎｔｒｏｌ）を用いたが、映像出力ＯＦＦをＡＶ出力装置に通知するタイミングで、再生装置から出力する映像信号を無信号にし、映像出力ＯＮをＡＶ出力装置に通知するタイミングで出力する映像信号を再生制御部やＧＵＩ部からの映像を出力する再生装置と、再生装置から入力される映像信号が無信号の場合は、映像出力手段の電源をＯＦＦし、再生装置から入力される映像信号が無信号でないならば映像出力手段の電源をＯＮするＡＶ出力装置を用いても同等の効果を得ることができる。
【００１８】
上記にて説明したように、再生装置を操作し、音声コンテンツを再生するだけで、ＡＶ出力装置は映像出力をＯＦＦし、音声のみを出力する状態になり、電力を節電することができ、簡単な操作で、再生装置の画面を表示したい時のみ一時的にＡＶ出力装置は映像出力をＯＮすることができる。
【産業上の利用可能性】
【００１９】
本発明は、ＤＶＤプレーヤやＶＣＲなどの再生装置からＡＶ信号の入力を受け、スピーカや表示管に出力を行うＡＶ出力装置、またはＤＶＤプレーヤやＤＶＤレコーダなど音楽コンテンツを再生することができる再生装置に適用できる。
【図面の簡単な説明】
【００２０】
【図１】ＡＶ再生システム構成図
【図２】ＧＵＩ画面を表した図
【図３】デッキ状態判別手段の実施例１の動作フローチャート
【図４】デッキ状態判別手段の別の実施例の動作フローチャート
【図５】使用例のシーケンスを表した図
【符号の説明】
【００２１】
１０    再生装置
１１    再生手段
１２    ＡＶ信号出力部
１４    ＡＶデータ部
１５    再生制御部
１６    ＧＵＩ部
１７    デッキ状態判別手段
１８    コマンド送信手段
２０    ＡＶ出力装置
２１    ＡＶ信号入力部
２２    ＡＶ信号分離部
２３    電源制御手段
２４    映像出力手段
２５    音声出力手段
２６    コマンド受信部
【図１】
2008054156.tif 000003
【図２】
2008054156.tif 000004
【図３】
2008054156.tif 000005
【図４】
2008054156.tif 000006
【図５】
2008054156.tif 000007